(57)【要約】【課題】遊技球の一様な強さの発射を可能にすること。【解決手段】遊技者が手動操作可能な操作レバー１と、該操作レバー１に連動する打球槌２と、該打球槌２を付勢する付勢部材３とから成るパチンコ遊技機における遊技球発射装置において、前記操作レバー１の可動範囲である揺動角を規制する位置調整可能に配設されている規制部材４を備えているパチンコ遊技機における遊技球発射装置。【選択図】図１
2006325689.tif 000002
【特許請求の範囲】
【請求項１】
遊技者が手動操作可能な操作レバーと、該操作レバーに連動する打球槌と、該打球槌を付勢する付勢部材とから成るパチンコ遊技機における遊技球発射装置において、
前記操作レバーの可動範囲を規制する規制部材を備え、該規制部材は位置調整可能に配設されている
ことを特徴とするパチンコ遊技機における遊技球発射装置。
【発明の詳細な説明】
【技術分野】
【０００１】
本発明は、遊技者が手動操作可能な操作レバーと、該操作レバーに連動する打球槌と、該打球槌を付勢する付勢部材とから成るパチンコ遊技機における打球発射装置において、前記操作レバーの可動範囲を規制する規制部材を位置調整可能に配設したパチンコ遊技機における打球発射装置に関するものである。
【背景技術】
【０００２】
従来の弾球遊技機は、遊技領域に遊技球を弾発する発射位置と反射準備位置の間で往復揺動可能な打球槌と、前記打球槌を発射位置へ常時付勢する付勢部材と、遊技者の手動操作により第１位置と第２位置との間で変位可能な操作部が形成され、前記操作部に対する当該手動操作を打球槌に連動させる発射レバーとを備える発射装置において、発射レバーの操作部を第１位置側へ付勢部材の付勢力に抗して下方に移動するとこれに連動して前記打球槌を発射準備位置に移動させ、次いで前記発射レバーの操作部の移動を解除すると前記付勢部材の付勢力によって前記打球槌を前記反射準備位置から発射位置に移動させて遊技球を遊技領域に弾発するものであった。
【特許文献１】特開２００４−８１６６３号公報
【発明の開示】
【発明が解決しようとする課題】
【０００３】
しかしながら、このような上記従来の弾球遊技機は、発射レバーの操作部を第１位置側へ付勢部材の付勢力に抗して下方に移動するとこれに連動して前記打球槌を発射準備位置に移動させ、次いで前記発射レバーの操作部の移動を解除すると前記付勢部材の付勢力によって前記打球槌を前記反射準備位置から発射位置に移動させて遊技球を遊技領域に弾発するものであるので、遊技者が、発射レバーの操作部を押下して放す位置を一定にして遊技球の発射位置を一定にするためには、発射レバーの操作部の下に指その他の物を挟む等して非常に高度な技術が必要であるが、大半の遊技者はそのような技術を持ち合わせていないため、遊技球を遊技領域に一様な力で弾発することが出来ないという問題点があった。
【０００４】
本発明者は、遊技者が手動操作可能な操作レバーと、該操作レバーに連動する打球槌と、該打球槌を付勢する付勢部材とから成るパチンコ遊技機における遊技球発射装置において、前記操作レバーの可動範囲を規制するという技術的思想に着眼するとともに、規制位置を任意に調整出来るようにするという技術的思想に着眼し、更に研究開発を重ねた結果、遊技球の一様な強さの発射を可能にするという目的を達成する本発明に到達した。
【課題を解決するための手段】
【０００５】
本発明（請求項１に記載の第１発明）のパチンコ遊技機における遊技球発射装置は、
遊技者が手動操作可能な操作レバーと、該操作レバーに連動する打球槌と、該打球槌を付勢する付勢部材とから成るパチンコ遊技機における遊技球発射装置において、
前記操作レバーの可動範囲を規制する規制部材を備え、該規制部材は位置調整可能に配設されている
ものである。
【発明の効果】
【０００６】
上記構成より成る第１発明のパチンコ遊技機における遊技球発射装置は、遊技者が手動操作可能な操作レバーと、該操作レバーに連動する打球槌と、該打球槌を付勢する付勢部材とから成るパチンコ遊技機における遊技球発射装置において、前記規制部材の配設位置が、調整可能であるので、遊技球の任意の一様な強さの発射を可能にするという効果を奏する。
【発明を実施するための最良の形態】
【０００７】
以下本発明の最良の実施の形態につき実施例に基づき、図面を用いて説明する。
【実施例１】
【０００８】
本第１実施例のパチンコ遊技機における遊技球発射装置は、図１ないし図７に示されるように遊技者が手動操作可能な操作レバー１と、該操作レバー１に連動する打球槌２と、該打球槌２を付勢する付勢部材３とから成るパチンコ遊技機における遊技球発射装置において、前記操作レバー１の可動範囲である揺動角を規制する位置調整可能に配設されている規制部材４を備えているものである。
【０００９】
本第１実施例のパチンコ遊技機は、図２に示されるように一例として本発明を第２種パチンコ遊技機に適用したものである。
【００１０】
前記始動口１０１は、図２に示されるように遊技盤１００内の下部の左右に配設され、入賞すると前記入賞装置１０２の開閉式入賞口１２０が１回開閉する左右始動口１１１と、遊技盤下部の中央に配設され、入賞すると前記入賞装置１０２の開閉式入賞口１２０が２回開閉する中央始動口１１２とから成る。
【００１１】
前記入賞装置１０２は、遊技盤１００内のほぼ中央上部寄りに配設され、揺動することにより前記開閉式入賞口１２０を開閉する左右の揺動羽根部材２０１と、該開閉式入賞口１２０を通過した遊技球が入賞する下部中央に配設された特定の入賞口１２１とを備えている。
【００１２】
また前記入賞装置１０２は、内部に前記開閉式入賞口１２０を通過した遊技球が通過する複数の穴が放射状に形成された左右一対の回転部材が回転自在に配設され、該左右一対の回転部材１２２は、前記始動口１０１に入賞した後前記開閉式入賞口１２０が開放状態にある時だけに限らず常時モータのような回転駆動機構によって一定速度で回転するように構成されている。
【００１３】
前記左右一対の回転部材は、異なった方向に回転駆動され、すなわち図１中右側の回転部材が時計方向に回転駆動され、左側の回転部材が反時計方向に回転駆動され、前記開閉式入賞口１２０を通過して内部に導入された遊技球が可変入賞装置１０２の下部中央に配設された特定の入賞口１２１に入賞すると大当りが発生するように構成されている。
【００１４】
前記開閉式入賞口１２０を通過して内部に導入された遊技球が、前記可変入賞装置１０２の下部中央に配設された特定の入賞口１２１に入賞すると、前記遊技球が前記特定の入賞口１２１に入賞した時に乱数値を取得して、取得した乱数値によって大当たりラウンド数の抽選が行われ、その結果が抽選表示部１０３に表示される。
【００１５】
パチンコ遊技機における遊技球発射装置は、図３に示されるようにパチンコ遊技機の前記遊技盤１００の下部の受皿部の前面パネル１１０に揺動自在に支持され、遊技者が手動操作可能な操作レバー１と、受皿が開けられた時に分離するために分離自在の連結部材２１を介して回転連絡する該操作レバー１に連動する遊技盤取付枠に支持された打球槌２と、該打球槌２を付勢する付勢部材３としての弾性部材のコイルスプリングとから成る。
【００１６】
前記操作レバー１が、図１ないし図７に示されるようにパチンコ遊技機の前記遊技盤１００の下部の受皿部の前面パネル１１０における右方に配設されたＬ字状の揺動レバーによって構成され、指かけ部１１が、前記揺動レバーに対して一定距離隔てて配設され、前記規制部材４が、前記揺動レバーと前記指かけ部１１との間の揺動範囲に形成された円弧状のスロット４０を貫通して突設されバネ部材４２の付勢力によって位置が保持されるバー部材４１によって構成されているものである。
【００１７】
前記バー部材４１が、遊技盤下部のパチンコ遊技機の前面の表面側に位置するように前面突出部４０１の基部に固定された第１フランジ４１１と前記遊技盤の裏面側に位置する部位に移動自在に介挿される第２フランジとしての移動ワッシャ４１２および端部にピン４１４によって係止された第３フランジとしての係止ワッシャ４１３とを備えているものである。
【００１８】
前記バネ部材４２が、前記第２フランジとしての前記移動ワッシャ４１２と前記第３フランジとしての前記係止ワッシャ４１３との間に介挿され、  前記バネ部材４２の付勢力によって前記第１フランジ４１１が前記遊技盤下部のパチンコ遊技機の前面の表面に押し付けられることにより  前記バー部材が位置決めされるように構成されているものである。
【００１９】
遊技者が、前記円弧状のスロット４０を貫通して突設された前記バー部材４１を持って前記バネ部材４２の付勢力に抗して、前記円弧状のスロット４０に沿って移動させることにより、所定位置に位置決めするものであり、前記バー部材４１が所定位置に位置決めされた状態において、前記操作レバー１を操作して遊技球を発射してみて、発射された前記遊技球の遊技盤１００内の遊技領域における弾発軌跡をチェックして、前記バー部材４１の前記スロット４０内の位置を調整して、遊技球の弾発強さすなわち遊技領域における弾発軌跡または遊技球の落下位置を調整するように構成されている。
【００２０】
上記構成より成る本第１実施例のパチンコ遊技機における遊技球発射装置は、遊技者が手動操作可能な操作レバー１と、該操作レバー１に連動する打球槌２と、該打球槌２を付勢する付勢部材３とから成るパチンコ遊技機における遊技球発射装置において、前記規制部材４が、前記操作レバー１の可動範囲を規制するので、遊技球の一様な強さの発射を可能にするとともに、部材点数の減少やコストダウンおよび省エネルギーを実現するという効果を奏する。
【００２１】
また本第１実施例のパチンコ遊技機における遊技球発射装置は、前記規制部材４としての前記バー部材４１の配設位置が、調整可能であるので、遊技球の任意の一様な強さの発射を可能にするという効果を奏する。
【００２２】
すなわち本第１実施例のパチンコ遊技機における遊技球発射装置は、遊技者が手動操作可能な操作レバー１と、該操作レバー１に連動する打球槌２と、該打球槌２を付勢する付勢部材３と、前記操作レバー１の可動範囲を規制する前記規制部材４を設け、遊技者が付勢部材の付勢に抗して操作レバー１を操作し、その操作を解除することにより、前記付勢部材３の付勢力により前記打球槌２が遊技球を弾発する打球発射装置において、前記規制部材を任意の位置に移動及び固定可能に構成したため、前記操作レバー１の回動可能範囲を規制する前記規制部材４を遊技者の任意の位置に移動して固定することが出来るので、遊技者が所望する発射強度となる位置に規制部材を移動させて固定した状態で前記操作レバー１を操作すれば遊技者の所望する発射強度で発射することを実現するものである。
【００２３】
さらに本第１実施例のパチンコ遊技機における遊技球発射装置は、前記操作レバー１を構成するＬ字状の揺動レバーと、前記揺動レバーに対して一定距離隔てて配設された前記指かけ部１１との間の揺動範囲に形成された前記円弧状のスロット４０を貫通して突設され、前記バネ部材４２の付勢力によって位置が保持される前記規制部材４を構成する前記バー部材４１によって、前記揺動レバーの揺動範囲が規制されるので、シンプルな構成によって遊技球の任意の一様な強さの発射を可能にするという効果を奏する。
【００２４】
また本第１実施例のパチンコ遊技機における遊技球発射装置は、前記バー部材４１が、遊技盤の表面側であるパチンコ遊技機の前記遊技盤１００の下部の前面パネル１１０に位置するように固定された前記第１フランジ４１１と前記遊技盤の裏面側に位置する部位に移動自在に介挿される前記第２フランジ４１２と、ピン４１４により端部に係止された第３フランジ４１３とを備えているので、遊技盤の表面側であるパチンコ遊技機の前面パネルの下部には、前記バー部材４１の前面突出部４０１と前記第１フランジ４１１のみ露出するものであるため、外観をシンプルにするという効果を奏する。
【００２５】
さらに第１実施例のパチンコ遊技機における遊技球発射装置は、前記バネ部材４２が、前記第２フランジ４１２と前記第３フランジ４１３との間に介挿され、前記バネ部材４２の付勢力によって前記第１フランジ４１１が前記遊技盤の表面である前面パネル１１０に押し付けられることにより  前記バー部材４１が位置決めされるので、遊技者によって前記バネ部材４２の付勢力に抗して前記バー部材の位置が任意の位置に調整されると、前記バー部材４１が調整された位置に確実に保持されるので、前記揺動レバーの揺動範囲が確実に規制されるため、遊技球の任意の一様な強さの発射を可能にするすなわち遊技領域における弾発軌跡または遊技球の落下位置を一定にするという効果を奏する。
【００２６】
また本第１実施例のパチンコ遊技機における遊技球発射装置は、前記バー部材４１が前記第２フランジ４１２と前記第３フランジ４１３との間に介挿された前記バネ部材４２の付勢力によって把持され位置決めされるので、遊技者によって前記揺動レバーが揺動操作され、前記規制部材４としての前記バー部材４１に当接衝突した時に前記バネ部材４２の弾性変形により、前記揺動レバー１と前記バー部材４１との当接衝突時のショックを緩衝して、遊技者の指に与える前記揺動レバー１と前記バー部材４１とのメタルコンタクトによる衝撃を緩衝して、フィーリングおよび疲労感を改善するという効果を奏する。
【実施例２】
【００２７】
本第２実施例のパチンコ遊技機における遊技球発射装置は、図８に示されるようにスロット４０に介挿される規制部材４としてのバー部材４１の外周に弾性部材５を介挿する点が、上述の第１実施例との相違点であり、以下相違点を中心に説明する。
【００２８】
前記弾性部材５は、前記バー部材４１の前記第１フランジとパチンコ遊技機の前記遊技盤１００の下部の前面との間に介挿されるフランジ部５１と、前記スロット４０の対向内壁４００と前記バー部材４１の外周面との間に介挿される脚部５２とから成る縦断面形状略Ｔ字状の環状のゴムブッシュ５０である。
【００２９】
上記構成より成る第２実施例のパチンコ遊技機における遊技球発射装置は、前記スロット４０の対向内壁４００と前記バー部材４１の外周面との間に前記ゴムブッシュ５０の前記脚部５２が介挿されるので、遊技者によって前記揺動レバー１が揺動操作され、前記規制部材４としての前記バー部材４１に当接衝突した時に前記スロットの対向内壁４００と前記バー部材４１との間に介挿された前記ゴムブッシュ５０の前記脚部５２の弾性変形により、前記揺動レバーと前記バー部材との当接衝突時のショックを緩衝して、遊技者の指に与える前記揺動レバーと前記バー部材とのメタルコンタクトによる衝撃を緩衝して、フィーリングおよび疲労感を改善するという効果を奏する。
【００３０】
また本第２実施例のパチンコ遊技機における遊技球発射装置は、前記バー部材４１の前記第１フランジ４１１と前記遊技盤の表面としてのパチンコ遊技機の前面パネル１１０に対して、前記第２フランジ４１２と前記第３フランジ４１３との間に介挿された前記バネ部材４２の付勢力によって前記ゴムブッシュ５０の前記第１フランジ４１１を介して押し付けられることにより、前記前面パネル１１０を前記バネ部材４２および前記ゴムブッシュ５０の前記第１フランジ４１１により弾性的に挟着することになるため、繰り返し前記揺動レバー１が当接衝突したとしても、前記規制部材４としての前記バー部材４１が、調整された配設位置に確実に保持されるという効果を奏する。
【実施例３】
【００３１】
第３実施例のパチンコ遊技機における遊技球発射装置は、図９ないし図１１に示されるようにバネ部材４２の一端を係止する第３フランジとしてのワッシャ４１３をバー部材４１に係止するピン４１４を係脱自在にする点が、上述の実施例との相違点であり、以下相違点を中心に説明する。
【００３２】
規制部材４としての前記バー部材４１が、中心部に同軸的な孔部４０４が貫通形成された中空状のパイプ部材４０３によって構成され、前面側の一端の上下方向に切欠部４０３１が形成されるとともに、裏面側の一端にピン４１４が介挿される略Ｌ字状の穴部４０３２が形成されている。
【００３３】
前記パイプ部材４０３の中心部に同軸的に形成された前記孔部４０４内に、中実の小径棒部材４０５が、回動および移動自在に介挿され、一端に遊技者がピンの係脱を操作するために切欠部４０３１に係合させるための操作部４０６が一体的に形成されるとともに、他端に半径方向および軸方向に延在する略Ｌ字状の穴部４０３２に介挿されるピン４１４が立設して装着される。
【００３４】
上記構成より成る第３実施例のパチンコ遊技機における遊技球発射装置において、規制部材４としての前記バー部材４１を、スロット４０内において所定の位置に調整する場合には、遊技者が、前記小径棒部材４０５の前記操作部４０６を前記パイプ部材４０３の一端の前記切欠部４０３１に係合させると、前記パイプ部材４０３の他端の半径方向および軸方向に延在する略Ｌ字状の穴部４０３２に介挿されたピン４１４が半径方向の穴部において半径方向に移動して軸方向の穴部との連結部に到達すると、前記バネ部材４２の付勢力によって軸方向の穴部を軸方向に移動して前記バネ部材４２が自然長に達すると付勢力が零になるので、前記スロット４０内を所定の位置まで抵抗力無く移動させることが出来る。
【００３５】
移動された所定位置において、遊技者が、前記小径棒部材４０５の前記操作部４０６を手前に引くと、ピン４１４が軸方向の穴部を軸方向に移動して前記バネ部材４２が自然長から縮められて付勢力が発生し、半径方向の穴部との連結部に到達する。
【００３６】
前記小径棒部材４０５の前記操作部４０６が、前記切欠部４０３１から離脱して半径方向を時計方向に回動されると、ピン４１４が半径方向の穴部において半径方向に移動することにより、前記バネ部材４２の付勢力によって規制部材４としての前記バー部材４１が、前記スロット４０内を所定の位置に位置決めされる。
【００３７】
上記作用を奏する本第３実施例のパチンコ遊技機における遊技球発射装置は、遊技者の前記操作部４０６の操作により、前記バー部材４１の端部に前記第３フランジ４１３を係止する前記ピン４１４が、前記バー部材４１を位置決めする係止位置（半径方向の穴部）と前記バー部材の位置を調整する前記バネ部材４２の付勢力を解除する解除位置（軸方向の穴部）をとりうるので、前記バー部材４１の任意の位置への調整が容易になるとともに、前記バー部材４１を精確に所定位置に調整することが出来るという効果を奏する。
【００３８】
上述の実施例は、説明のために例示したもので、本発明としてはそれらに限定されるものでは無く、特許請求の範囲、発明の詳細な説明および図面の記載から当業者が認識することができる本発明の技術的思想に反しない限り、変更および付加が可能である。
【００３９】
上述の第２実施例においては、一例として縦断面形状略Ｔ字状の環状のゴムブッシュ５０を用いる例について説明したが、本発明としてはそれらに限定されるものでは無く、例えば縦断面形状略Ｈ字状の環状のゴムブッシュを用いることにより、前記前面パネル１１０の前面および裏面の両面を前記ゴムブッシュ５０の両フランジを介して挟着することにより、繰り返し前記揺動レバー１が当接衝突したとしても、前記規制部材４としての前記バー部材４１が、調整された配設位置に一層確実に保持されるようにする態様を採用することが出来る。
【００４０】
上述の第１実施例においては、一例として本発明を第２種パチンコ遊技機に適用した例について説明したが、本発明としてはそれらに限定されるものでは無く、遊技盤の中央に変動する図柄を表示する図柄表示部を備えた第１種パチンコ遊技機に適用することも可能である。
【産業上の利用可能性】
【００４１】
遊技者が手動操作可能な操作レバー１と、該操作レバー１に連動する打球槌２と、該打球槌２を付勢する付勢部材３とから成るパチンコ遊技機における遊技球発射装置において、前記操作レバー１の可動範囲である揺動角を規制する位置調整可能に配設されている規制部材４を備えたパチンコ遊技機における遊技球発射装置であって、遊技球の一様な強さの発射を可能にするとともに、部材点数の減少やコストダウンおよび省エネルギーを実現する用途にも適用できる。
【図面の簡単な説明】
【００４２】
【図１】本発明の第１実施例のパチンコ遊技機における遊技球発射装置において、規制部材がスロットの上端に調整された状態を示す斜視図である。
【図２】本第１実施例のパチンコ遊技機を示す正面図である。
【図３】本第１実施例のパチンコ遊技機における遊技球発射装置を示す断面図である。
【図４】本第１実施例における規制部材が一例としてスロットの下端に調整された状態を示す斜視図である。
【図５】本第１実施例における規制部材が一例としてスロットの下端に調整された状態を示す正面図である。
【図６】本第１実施例における操作レバーと規制部材との位置関係を示す側面図である。
【図７】本第１実施例における規制部材のパチンコ遊技機の前面パネルの裏側の構成要素を示す斜視図である。
【図８】本発明の第２実施例のパチンコ遊技機における遊技球発射装置において、規制部材のスロットへの取付け態様を示す断面図である。
【図９】本発明の第３実施例のパチンコ遊技機における遊技球発射装置において、規制部材がバネ部材によって付勢されるように操作部が操作された状態を示す断面図である。
【図１０】本第３実施例のパチンコ遊技機における遊技球発射装置において、規制部材がバネ部材によって付勢されないように操作部が操作された状態を示す断面図である。
【図１１】本第３実施例のパチンコ遊技機における遊技球発射装置において、規制部材における操作部の操作状態とピンのＬ字状溝の係合関係との対応を対比説明する説明図である。
【符号の説明】
【００４３】
１  操作レバー
２  打球槌
３  付勢部材
４  規制部材
【図１】
2006325689.tif 000003
【図２】
2006325689.tif 000004
【図３】
2006325689.tif 000005
【図４】
2006325689.tif 000006
【図５】
2006325689.tif 000007
【図６】
2006325689.tif 000008
【図７】
2006325689.tif 000009
【図８】
2006325689.tif 000010
【図９】
2006325689.tif 000011
【図１０】
2006325689.tif 000012
【図１１】
2006325689.tif 000013